(57)【要約】      （修正有）【課題】ハンガー掛けなどに掛け・外しを行う際に手間とならず、ハンガー掛けに多く掛けることができるようなハンガーを提供する。【解決手段】ハンガー１００は、吊り下げ用のフック部１０と、フック部１０に一端が取り付けられた紐と、紐の他端を収納する高さ調整部１３と、高さ調整部１３に固定された保持部１１とを備える。高さ調整部１３には、高さ調整部１３の外に引っ張り出された紐の位置を所望の位置に固定するためのロックボタン１３ｃが設けられている。【選択図】図１
0003167898.tif 000002
【実用新案登録請求の範囲】
【請求項１】
吊り下げ用のフック部と、
前記フック部の一端に取り付けられた長尺部材と、
衣服を保持する保持部と、
前記長尺部材の長さを調整することにより前記保持部の高さ位置を変更する高さ調整部と、を備えることを特徴とするハンガー。
【請求項２】
前記長尺部材は紐からなり、
前記高さ調整部は、前記紐の巻き取りまたは巻き外しを行うことにより前記保持部の高さ位置を変更する巻回部材を含む請求項１に記載のハンガー。
【請求項３】
前記巻回部材は、ギアとギア軸と当該ギア軸に巻回されたコイルバネと当該ギアの回転を止めるストッパーとを有し、
前記紐は前記ギア軸に巻回され、
通常時に前記ギアは、前記紐が巻き取られる方向に前記コイルバネにより付勢されており、前記紐が引っ張り出されたときに前記ギアは付勢方向とは逆方向に回転する請求項２に記載のハンガー。
【請求項４】
前記保持部は、前記高さ調整部に固定される請求項１から請求項３のいずれか１項に記載のハンガー。
【請求項５】
前記保持部上に設けられ、衣服の滑りを止める滑り止め部材を備える請求項１から請求項４のいずれか１項に記載のハンガー。
【考案の詳細な説明】
【技術分野】
【０００１】
本考案は、衣服などを吊るして使用するハンガーに関するものである。
【背景技術】
【０００２】
衣服用のハンガーは、スーツ（背広）の上着やズボンを皺がよらないように支持する用具として日常的に使用されている。
【０００３】
衣服用のハンガーは、通常ハンガー掛け具に掛けて吊るすためのフック部と、肩形状を呈してなる上着掛け部と、この上着掛け部に連結し水平方向に支持されるズボン掛け部とを備える（例えば、特許文献１参照）。
【０００４】
ハンガーに衣服などを吊るし、衣服などが吊るされた複数のハンガーがハンガー掛けに掛けられて整理されることがある（例えば、特許文献２参照）。また、ハンガー掛けのその他の例として、クローゼット内に水平に設けられた支持棒を使用することもある。
【先行技術文献】
【特許文献】
【０００５】
【特許文献１】特開平８−２５６８９８号公報
【特許文献２】特開平５−２０７９２３号公報
【考案の概要】
【考案が解決しようとする課題】
【０００６】
しかしながら、ハンガーに吊るされた衣服の数が多い場合には、ハンガー掛けにおけるハンガーの密度が高くなる。そのため、衣服同士の間隔がなくなり、密集状態となって通気性が悪くなるだけでなく、ハンガー掛けへのハンガーの掛け作業およびハンガー掛けからのハンガーの取り外し作業が非常に手間となる。したがって、ハンガー掛けに対する使用ハンガー数が少なくなるという問題がある。
【０００７】
そこで、本考案の目的は、ハンガー掛けなどに掛け・外しを行う際に手間とならず、ハンガー掛けに多く掛けることができるようなハンガーを提供することである。
【課題を解決するための手段】
【０００８】
本考案に係るハンガーは、吊り下げ用のフック部と、フック部の一端に取り付けられた長尺部材と、衣服を保持する保持部と、長尺部材の長さを調整することにより保持部の高さ位置を変更する高さ調整部と、を備えることを特徴とする。
【０００９】
長尺部材がフック部の一端に取り付けられおり、高さ調整部により長尺部材の長さが調整される。フック部が例えばハンガー掛けに吊り掛けられた場合に、高さ調整部により長尺部材の長さを調整できるので保持部の高さ位置を変更できる。
【００１０】
例えば、衣服（以下、第１衣服と称する）と衣服（以下、第２衣服と称する）との間に挟まれた衣服（以下、第３衣服と称する）を吊るすためのハンガーを、紐などの長尺部材を引っ張り出した状態でハンガー掛けに吊り掛けることによって、第１衣服と第２衣服との間に第３衣服を吊るすことができ、且つ第１衣服と第２衣服との間隔が広くなる。これにより、ハンガー掛けにおける衣服の密集を低減できるので、ハンガーの掛け作業およびハンガーの取り外し作業が非常に行い易くなる。また、多くの衣服を吊るすことが可能であり、他方多く吊るしても衣服の密集状態が緩和されるので、通気性が良くなり衣服の保存状態が良好となる。
【００１１】
長尺部材は紐からなり、高さ調整部は紐の巻き取りまたは巻き外しを行うことにより保持部の高さ位置を変更する巻回部材を含んでもよい。
【００１２】
高さ調整部の巻回部材により紐の巻き取りまたは巻き外しが行われることによって、簡単な構成で保持部の高さ位置を変更できる。
【００１３】
巻回部材は、ギアとギア軸と当該ギア軸に巻回されたコイルバネと当該ギアの回転を止めるストッパーとを有し、紐はギア軸に巻回され、通常時にギアは紐が巻き取られる方向にコイルバネにより付勢されており、紐が引っ張り出されたときにギアは付勢方向とは逆方向に回転してもよい。
【００１４】
使用者は、所望の長さの分だけ紐を引っ張り出すだけでよく、ギアの回転がストッパーにより止められるので紐を所望の長さで固定できる。これにより、保持部の高さ位置を所望の位置に変更できる。
【００１５】
保持部は高さ調整部に固定されてもよい。
【００１６】
保持部が安定して高さ調整部に保持されるので、衣服を安定して吊るすことができる。
【００１７】
本考案に係るハンガーは、保持部上に設けられ、衣服の滑りを止める滑り止め部材を備えてもよい。
【００１８】
衣服が保持部に保持されたときに、滑り止め部材により衣服が保持部から滑り落ちることが防止される。
【考案の効果】
【００１９】
本考案によれば、ハンガーの掛け作業およびハンガーの取り外し作業が容易となり、使用者の手間が省ける。
【図面の簡単な説明】
【００２０】
【図１】本実施形態に係るハンガーの外観を示す模式的平面図である。
【図２】高さ調整部本体の内部構成を示す模式図である。
【図３】蓋部の内部構成を示す模式図である。
【図４】ギアの内部構成を示す模式図である。
【図５】衣服を吊るした状態の複数のハンガーをハンガー掛けに吊り掛けた様子を示す模式的斜視図である。
【考案を実施するための形態】
【００２１】
以下、本考案の一実施形態に係るハンガーについて図面を参照しながら説明する。
【００２２】
図１に示すように、本実施形態に係るハンガー１００は、例えばハンガー掛けまたは物干し竿などに吊り掛けるためのフック部１０、衣服などを吊るして保持するための保持部１１、および保持部１１の高さ位置を変更する高さ調整部１３を主に備える。高さ調整部１３は、高さ調整部本体１３ａおよび高さ調整部本体１３ａに嵌合される蓋部１３ｂにより構成される。
【００２３】
保持部１１は、ズボンなどを保持する直杆部１１ａと、直杆部１１ａの両端から湾曲状にＵターンして斜め上方に伸びるように形成された左右一対の腕杆部１１ｂ、１１ｃとから構成されている。
【００２４】
直杆部１１ａおよび腕杆部１１ｂ、１１ｃ上には、保持する衣服などの滑りを防止するための滑り止め部材１２ａ、１２ｂ、１２ｃが設けられている。滑り止め部材１２ａ、１２ｂ、１２ｃは例えば不織布（フェルト）から構成される。
【００２５】
保持部１１は高さ調整部１３に固定されている。また、フック部１０の一端には後述の紐１４（図２）が取り付けられている。紐１４の他端は高さ調整部１３内で巻回され収納されている。
【００２６】
高さ調整部１３の外へ出る紐１４の長さが高さ調整部１３により変更されることによって、ハンガー１００がハンガー掛けなどに吊り掛けられた場合に、矢印Ｄ１の方向に沿って保持部１１の高さ位置を変更できる。
【００２７】
高さ調整部１３には、高さ調整部１３の外に引っ張り出された紐１４の位置を所望の位置に固定するためのロックボタン１３ｃが設けられている。
【００２８】
使用者はロックボタン１３ｃを矢印Ｄ１の方向に移動させることにより、ロック位置（紐１４を自由に引き出せない状態にするための位置）Ｐ１とアンロック位置（紐１４を自由に引き出せる状態にするための位置）Ｐ２とを切り換えることができる。図１ではロックボタン１３ｃの位置がロック位置Ｐ１に移動された状態が示されている。
【００２９】
図２（ａ）は蓋部１３ｂを取り除いた状態の高さ調整部本体１３ａの内部構成を示す模式図であり、図２（ｂ）は図２（ａ）のＡ−Ａ線断面図である。また、図３（ａ）は高さ調整部本体１３ａを取り除いた状態の蓋部１３ｂの内部構成を示す模式図であり、図３（ｂ）は図３（ａ）のＢ−Ｂ線断面図である。
【００３０】
図２（ａ）に示すように、高さ調整部１３は例えば樹脂成型により形成される高さ調整部本体１３ａを有する。高さ調整部本体１３ａには腕杆部１１ｂ、１１ｃをそれぞれ保持するための溝状の腕杆保持部２１、２２が設けられている。また、図３（ａ）、（ｂ）に示すように、蓋部１３ｂにも腕杆部１１ｂ、１１ｃをそれぞれ保持するための溝状の腕杆保持部１３ｆ、１３ｇが設けられている。
【００３１】
また、高さ調整部本体１３ａにはフック部１０の一端を保持するための溝状のフック保持部２３が設けられている。フック保持部２３には、紐１４を挿通するための貫通孔２４ａを有する紐保持部２４が嵌合されている。
【００３２】
高さ調整部本体１３ａの中央には、ギア２５がギア軸２６を介して回転可能に設けられている。図２（ｂ）に示すように、ギア２５はギア軸２６に連結されたギア本体２７上に設けられている。なお、ギア２５、ギア軸２６およびギア本体２７が巻回部材に相当する。
【００３３】
フック部１０の一端に取り付けられた紐１４は、貫通孔２４ａに挿通されて紐保持部２４に保持される。また、紐１４の他端はギア本体２７に巻回されて固定されている。なお、図２（ｂ）では紐１４の図示を省略する。
【００３４】
また、ギア２５の近傍には、ギア２５の回転を静止させるためのストッパー２８がラッチ軸２９を介して回転可能に設けられている。ストッパー２８はラッチバネ３０により矢印Ｄ２の方向（時計回りの方向）に付勢されている。
【００３５】
通常状態においては、ギア本体２７の内部においてギア軸２６に巻回されているコイルバネ３１（図４参照）により、ギア２５は矢印Ｄ２の方向に回転するように付勢されている。したがって、フック部１０は矢印Ｄ５の方向（図面左方向）に引っ張られるように付勢されていることになる。付勢されているストッパー２８がギア２５に当接することによりギア２５の回転が静止される。なお、コイルバネ３１の一端はギア軸２６に固定されており、その他端は固定部３２に固定されている。
【００３６】
以上のような構成によれば、使用者によってロックボタン１３ｃがアンロック位置Ｐ２（図１）に移動されると、図３（ａ）に示すように、蓋部１３ｂの裏側に設けられたロックボタン１３ｃと連動する移動部材１３ｄがストッパー２８を矢印Ｄ４の方向に移動させる。すると、ギア２５が回転可能な状態になる。なお、移動部材１３ｄはばね部材１３ｅにより付勢されているので、移動部材１３ｄが使用者の意に反して自由に移動することが防止されている。
【００３７】
ギア２５が回転可能な状態になれば、使用者はフック部１０を矢印Ｄ４の方向へ引く。そうすると、ギア２５は矢印Ｄ３の方向（反時計回りの方向）に回転し、高さ調整部１３の中から紐１４が引っ張り出される。使用者は紐１４が所望の長さとなるように紐１４を高さ調整部１３の外に引っ張り出すことができる。
【００３８】
そして、引っ張り出された紐１４がギア２５の矢印Ｄ２の方向への回転によって高さ調整部１３の中へ戻される前に、使用者はロックボタン１３ｃをロック位置Ｐ１（図１）に移動させる。そうすると、ストッパー２８がギア２５に当接してギア２５の回転が静止する。
【００３９】
使用者は以上の操作を行うことによって、高さ調整部１３の中から引っ張り出す紐１４の長さを調整できる。これにより、ハンガー１００をハンガー掛けに吊り掛けた場合に、フック部１０から保持部１１までの距離を長くしたり、短くしたりすることができる。なお、ストッパー２８によりギア２５の回転および非回転を切り替えて紐１４の取り出しおよび固定を行う構成を採用したが、例えば解除可能なクランプ機構などにより紐１４の取り出しおよび固定を行う構成を採用してもよい。
【００４０】
図５において、複数のハンガー１００がハンガー掛け５０に吊り掛けられている。衣服ＣＬ１および衣服ＣＬ３が吊るされた各ハンガー１００は通常の状態（紐１４を引っ張り出していない状態）で吊り掛けられている。衣服ＣＬ１と衣服ＣＬ３との間に位置する衣服ＣＬ２が吊るされたハンガー１００は、紐１４が所望の長さ分引っ張り出された状態で吊り掛けられている。
【００４１】
衣服ＣＬ１と衣服ＣＬ３との間に衣服ＣＬ２を吊るすためのハンガー１００を、紐１４を引っ張り出した状態でハンガー掛け５０に吊り掛けることによって、衣服ＣＬ１と衣服ＣＬ３との間に衣服ＣＬ２が挟まれることなく、衣服ＣＬ１と衣服ＣＬ３との間に衣服ＣＬ２を吊るすことができ、且つ衣服ＣＬ１と衣服ＣＬ３との間が広くなる。これにより、ハンガー掛けにおける衣服の密集を低減できるので、ハンガーの掛け作業およびハンガーの取り外し作業が非常に行い易くなる。また、多くの衣服を吊るすことが可能であり、他方多く吊るしても衣服の密集状態が緩和されるので、通気性が良くなり衣服の保存状態が良好となる。
【００４２】
また、各ハンガー１００の紐１４の長さの長短を交互に変えてハンガー掛け５０に掛けることにより、各ハンガー１００の紐１４の長さを一定にしてハンガー掛け５０に掛けた場合よりも多くのハンガー１００を掛けることができる。したがって、使用者は新たにハンガー掛け５０を購入したり、ハンガー１００を掛けるための新たな場所を見付ける必要がない。
【００４３】
なお、上記実施形態では高さ調整部本体１３ａに腕杆保持部２１、２２を設け、腕杆保持部２１、２２によりそれぞれ腕杆部１１ｂ、１１ｃを保持する構成を採用したが、これに限定されるものではなく、例えば腕杆部１１ｂ、１１ｃを高さ調整部本体１３ａの外表面上に着脱可能に取り付けてもよい。
【００４４】
また、上記実施形態では長尺部材として紐１４を使用したが、これに限定されるものではなく、例えばテープやチェーンなどその他の長尺部材を使用してもよい。
【００４５】
また、上記実施形態では紐１４の調整によりフック部１０と高さ調整部１３との距離を変更する構成を採用したが、これに限定されるものではなく、例えば保持部１１に紐１４を取り付け、紐１４の調整により保持部１１と高さ調整部１３との距離を変更する構成を採用してもよい。この場合でも上述した本考案特有の効果を奏することができる。
【００４６】
本考案の好ましい一実施の形態は上記の通りであるが、本考案はそれだけに制限されない。本考案の主旨から逸脱しない範囲で異なる変形、追加、修飾を行うことができる。さらに、本実施形態において本考案の構成による作用および効果を述べているが、これら作用および効果は一例であり本考案を限定するものではない。
【符号の説明】
【００４７】
１０  フック部
１１  保持部
１２ａ、１２ｂ、１２ｃ  滑り止め部材
１３  高さ調整部
１４  紐
２５  ギア
２６  ギア軸
２８  ストッパー
３１  コイルバネ
１００  ハンガー
【図１】
0003167898.tif 000003
【図２】
0003167898.tif 000004
【図３】
0003167898.tif 000005
【図４】
0003167898.tif 000006
【図５】
0003167898.tif 000007
【手続補正書】
【提出日】平成23年3月11日(2011.3.11)
【手続補正１】
【補正対象書類名】実用新案登録請求の範囲
【補正対象項目名】全文
【補正方法】変更
【補正の内容】
【実用新案登録請求の範囲】
【請求項１】
吊り下げ用のフック部と、
前記フック部に一端が取り付けられた長尺部材と、
前記長尺部材の他端を収納し、当該長尺部材の長さを調整する高さ調整部と、
衣服を保持し、前記高さ調整部に固定された保持部と、を備え、
前記高さ調整部によって前記長尺部材の長さを調整することにより前記保持部の高さ位置が変更されることを特徴とするハンガー。
【請求項２】
前記長尺部材は紐からなり、
前記高さ調整部は、前記紐の巻き取りまたは巻き外しを行うことにより前記保持部の高さ位置を変更する巻回部材を含む請求項１に記載のハンガー。
【請求項３】
前記巻回部材は、ギアとギア軸と当該ギア軸に巻回されたコイルバネと当該ギアの回転を止めるストッパーとを有し、
前記紐は前記ギア軸に巻回され、
通常時に前記ギアは、前記紐が巻き取られる方向に前記コイルバネにより付勢されており、前記紐が引っ張り出されたときに前記ギアは付勢方向とは逆方向に回転する請求項２に記載のハンガー。
【請求項４】
前記保持部上に設けられ、衣服の滑りを止める滑り止め部材を備える請求項１から請求項３のいずれか１項に記載のハンガー。